(57)【特許請求の範囲】
【請求項１】
プラズマディスプレイパネルに取り付けたパネル放熱用金属板と、このパネル放熱用金属板に固定されるパネル駆動回路プリント板とを備え、上記パネル放熱用金属板にパネル駆動回路プリント板のグランド端子を固定ネジにより電気的に接続するとともに、上記固定ネジの周囲を囲いかつ高周波電流を遮断するドーナツ状フェライトビーズコアを配置したプラズマディスプレイ。
【発明の詳細な説明】
【０００１】
【発明の属する技術分野】
本発明は、プラズマディスプレイパネル（以下、ＰＤＰと記す）の駆動回路およびパネルから発生する高周波ノイズの抑制構造に関するものである。
【０００２】
【従来の技術】
従来、ＰＤＰの階調表示可能な駆動方法の１つとして、特開平４−１９５０８７号公報等に示されるサブフィールド法と呼ばれる駆動方法が用いられている。以下、この方法について図面を参照しながら説明する。
【０００３】
図３は、１フレームを８つのサブフィールド（ＳＦ１〜８）に分割し、映像信号に基づいて８ビット（２５６階調）の階調表示を行う時のタイムチャートである。図３において、各サブフィールドは書き込み期間と維持期間とからなっている。書き込み期間は、ＰＤＰのマトリックス状に並んだ各画素に、続く維持期間の放電の有無を記憶させるためのものであり、上記記憶動作は第１行から順番に行われる。また図のように、維持期間の放電パルス数をそれぞれ「１」、「２」、「４」、「８」、「１６」、「３２」、「６４」、「１２８」とすれば、映像信号にそれぞれ対応する輝度の重み付けを持たせることができる。いま、ある画素を「１２９」の輝度で光らせる場合、
「１２９」＝「１」＋「１２８」であるから、第１および第８サブフィールドの書き込み期間のみに書き込みを行えばよい。
【０００４】
【発明の解決しようとする課題】
上述のように、書き込み期間にすべての画素に書き込みを行い、上記書き込みに基づいて、続く維持期間に全画素が一斉に放電を行うため、維持期間の放電パルス周波数の高調波が、不要輻射波として駆動回路およびＰＤＰから放射される。従来のサブフィールド法を用いたＰＤＰテレビの場合、チューナに上記不要輻射波が混入し、選局するチャンネルによっては、映し出される映像に斜め縞等の妨害が発生するという課題を有していた。
【０００５】
【課題を解決するための手段】
前記課題を解決するために、本発明のプラズマディスプレイは、ＰＤＰのパネル放熱用金属板とパネル駆動回路プリント板とをフェライトビーズコアにより高周波絶縁する構成とした。
【０００６】
本発明により、駆動回路からＰＤＰに流れ込み、放熱用金属板を経由して駆動回路に戻ってくる高周波電流を遮断することで、駆動回路の動作安定を保ち、且つ高周波輻射が空中を伝搬しチューナに入力されるテレビ放送に妨害を与えるのを抑制することが可能となる。そして、これによって、テレビ放送に対する妨害を軽減し、美しい映像を表示するＰＤＰテレビを得ることができる。
【０００７】
【発明の実施の形態】
本発明によれば、駆動回路からＰＤＰに流れ込み、放熱用金属板を経由して駆動回路に戻ってくる高周波電流を遮断し、高周波輻射が空中を伝搬し、チューナに入力されるテレビ放送に妨害を与えるのを抑制して美しい映像をＰＤＰテレビに表示することができるという作用を有する。
【０００８】
そして、本発明の請求項１に記載のプラズマディスプレイは、プラズマディスプレイパネルに取り付けたパネル放熱用金属板と、このパネル放熱用金属板に固定されるパネル駆動回路プリント板とを備え、上記パネル放熱用金属板にパネル駆動回路プリント板のグランド端子を固定ネジにより電気的に接続するとともに、上記固定ネジの周囲を囲いかつ高周波電流を遮断するドーナツ状フェライトビーズコアを配置したものである。このことにより、簡単な構成で、上記効果をパネル放熱用金属板とパネル駆動回路プリント板との固定と同時に実現することができる。
【０００９】
（実施の形態１）
以下に、本発明の一実施の形態について、図１を参照しながら説明する。
【００１０】
図１は本発明の実施の形態１におけるＰＤＰの断面図である。図１において、１はパネル駆動回路プリント板であり、ＰＤＰのパネル２に取り付けたパネル放熱用金属板３に固定ネジ９により固定されている。
そして、上記パネル駆動回路プリント板１と上記パネル放熱用金属板３との電気的絶縁のため、固定ネジ９には絶縁保持具１０がはめられており、パネル駆動回路プリント板１はパネル放熱用金属板３に電気的に絶縁して固定されている。
また、上記ＰＤＰのパネル２とパネル放熱用金属板３との接続は熱伝導性の良い接着材１２により行われ、上記ＰＤＰのパネル２と上記パネル駆動回路プリント板１との接続はフレキシブルケーブル８により一般的に行われている。
図４に示すように、上記パネル駆動回路プリント板１の接地電圧（グランド）端子ＧＮＤはパネル放熱用金属板３にフェライトビーズコア１１を介して電気的に接続している。以上により、パネル放熱用金属板３とパネル駆動回路プリント板１とは、高周波電流を遮断しつつ、直流電流および低周波電流は低い抵抗値で電気的に接続されている。
【００１１】
ここで、上記電流の関係について図４を用いて説明を加える。図４はＰＤＰのパネル駆動部の構成を示した模式図である。図４において、パネル駆動回路プリント板１は制御回路５と複数の駆動回路４とからなり、上記制御回路５からの制御信号により信号を出力する駆動回路４はＰＤＰのパネル２の表示電極６ａ〜６ｚの数だけ駆動出力が必要である。上記駆動回路４の出力は上記表示電極６ａ〜６ｚに上記フレキシブルケーブル８により接続されている。
図４に示すように、上記表示電極６ａ〜６ｚと上記パネル放熱用金属板３との間はＰＤＰのパネル２のガラスにより、容量結合されており、分布容量７ａ〜７ｚが各々の表示電極６ａ〜６ｚに存在する。
【００１２】
上記分布容量７ａ〜７ｚにより、駆動回路４からＰＤＰのパネル２の表示電極６ａ〜６ｚに電流がパネル放熱用金属板３を経由して駆動回路４に流れる。特に高い周波数成分の電流が流れると、ＰＤＰのパネル２およびパネル放熱用金属板３がアンテナとなり、高周波を輻射する。
ここで本実施の形態では、図４に示すように、フェライトビーズコア１１を介して、上記パネル駆動回路プリント板１のグランド端子ＧＮＤと上記パネル放熱用金属板３とを電気的に接続している。このことにより、パネル放熱用金属板３を経由して駆動回路４に流れる電流は、高周波電流が遮断され、直流電流および低周波電流のみとなる。上記作用により駆動回路４の動作を安定に保ったままで、高周波輻射が空中を伝搬しチューナに入力されるテレビ放送に妨害を与えるのを抑制して、美しい映像をＰＤＰテレビに表示することができる。
【００１３】
（実施の形態２）
以下に、本発明の他の実施の形態について、図２を参照しながら説明する。
【００１４】
図２は本発明の実施の形態２におけるＰＤＰの断面図である。図２において、実施の形態１と異なる点は、高周波電流を遮断するために、フェライトビーズコア１１の代わりにドーナツ状フェライトビーズコア１３を用いた点であり、上記実施の形態１での図４と同様に、上記パネル駆動回路プリント板１のグランド端子とＰＤＰのパネル放熱用金属板３を固定ネジ９により絶縁保持具１０を用いずに電気的に接続し、上記固定ネジ９を囲うように上記ドーナツ状フェライトビーズコア１３を配置したものである。以上により、パネル駆動回路プリント板１とパネル放熱用金属板３とを高周波絶縁するという同様の効果を、さらに簡単な構成により、パネル放熱用金属板３とパネル駆動回路プリント板１との固定と同時に実現することができるという作用を有する。
【００１５】
【発明の効果】
以上説明したように、本発明の実施の形態１によれば、パネル駆動回路とパネル放熱用金属板とをフェライトビーズコアにより電気的に接続し、高周波電流を遮断しつつ、直流電流および低周波電流は流れるようにすることにより、ＰＤＰのパネルとパネル放熱用金属板が高周波妨害のアンテナになるのを抑制し、駆動回路の動作安定に保ったままで、美しい映像のＰＤＰテレビを提供できる。
【００１６】
また、本発明の実施の形態２によれば、パネル放熱用金属板とパネル駆動回路プリント板との固定と同時に、さらに簡単な構成により第１の高周波輻射抑制方法と同じ効果を実現することができ、美しい映像を表示するＰＤＰテレビを提供できる。
【図面の簡単な説明】
【図１】  本発明の実施の形態１におけるＰＤＰの断面図
【図２】  本発明の実施の形態２におけるＰＤＰの断面図
【図３】  サブフィールド法により、映像信号８ビット（２５６階調）の階調表示を行う時のタイムチャート
【図４】  ＰＤＰのパネル駆動部の構成を示した模式図
【符号の説明】
ＶＣＣ１  制御回路電源電圧端子
ＶＣＣ２  駆動回路電源電圧端子
ＧＮＤ  接地電圧（グランド）端子
１  パネル駆動回路プリント板
２  ＰＤＰのパネル
３  パネル放熱用金属板
４  駆動回路
５  制御回路
６ａ〜６ｚ  表示電極
７ａ〜７ｚ  分布容量
８  フレキシブルケーブル
９  固定ネジ
１０  絶縁保持具
１１  フェライトビーズコア
１２  熱伝導性の良い接着材
１３  ドーナツ状フェライトビーズコア
ＳＦ１〜８  サブフィールド
【図１】
0003645396.tif 000002
【図２】
0003645396.tif 000003
【図３】
0003645396.tif 000004
【図４】
0003645396.tif 000005